(57)【特許請求の範囲】
【請求項１】
構造用合板本体と、一方の面に突起が所定の間隔で形成された第１の断熱層部材と、透通孔が複数形成された第２の断熱層部材と、板状に形成された第３の断熱層部材と、前記第１〜第３の断熱層部材を前記構造用合板本体上で多層状に保持するパネル枠材とを有してなり、
前記構造用合板本体と第１の断熱層部材との間には、第１の断熱層部材に形成された突起によって通気室が画定されており、
第１の断熱層部材と第３の断熱層部材とによって挟持された第２の断熱層部材の透通孔部分が空気室として形成されており、
前記構造用合板本体の四辺の少なくとも一つの辺には、端面に開口する凹溝が穿設されており、該凹溝によって前記通気室とパネルの外部とが連通状態になっていることを特徴とする壁パネル。
【発明の詳細な説明】
【０００１】
【発明の属する技術分野】
本発明は壁パネルに関し、特に、従来現場にて施工していた柱、構造用合板本体、断熱材などの各部材を予め生産工場にて一体的に組立し、作業効率の向上を図ることができるとともに、断熱効果および結露対策の優れた外壁パネルに関するものである。
【０００２】
【従来の技術】
従来、木造住宅における壁の断熱効果を高めるためには、外装材と内装材との間にグラスウールやフォームポリスチレンなどの断熱材を入れておくことが行われており、また、壁面内の通気対策としては、軸組上棟後の構造用合板本体またはボードを取付け後に、これに胴縁や筋違いを取付け、この上にサイディングボードなどの外装材を取付けて、前記構造用合板本体と外装材との間に空気層を得ることによって行われている。また、壁が予め工場にてユニット状の組立パネル化されたものである場合にも、該パネル内に、胴縁や筋違いなどを設けて空気層を得るなど、同様な構造を有しているものである。
【０００３】
【発明が解決しようとする課題】
しかしながら、上記したような従来技術は、在来工法による場合には、大工手間が掛かり、工期の点から問題となっていた。また、ユニット状にパネル化されたものの場合においては、パネル壁内に空気層を存在させているが、この空気はパネル内に停滞しており、結露対策上としては不十分なものとなっていた。
【０００４】
本発明は、上記従来技術の課題に着目して提案されたもので、現場での工期短縮化が図れるユニット状にパネル化された外壁パネルにおいて、断熱効果が高く、しかも、構造的に頑強であっても壁厚が厚くなりすぎることなく、しかも、結露のない通気性に富んだユニット状にパネル化された外壁パネルを提供することを目的とする。
【０００５】
【課題を解決するための手段】
本発明は、構造用合板本体と、一方の面に突起が所定の間隔で形成された第1の断熱層部材と、透通孔が複数形成された第２の断熱層部材と、第３の板状断熱層部材と、前記第１〜第３の断熱層部材を前記構造用合板本体上で多層状に保持するパネル枠材とを有してなり、
前記構造用合板本体と第１の断熱層部材との間には、第１の断熱層部材に形成された突起によって通気室が画定されており、
第１の断熱層部材と第３の断熱層部材とによって挟持された第２の断熱層部材の透通孔部分が空気室として形成されており、
前記構造用合板本体の端部に開口する凹溝が穿設されており、該凹溝によって前記通気室とパネルの外部とを連通状態にしていることを特徴とする。
【０００６】
【発明の実施の形態】
以下、添付の図面に基づいて本発明の実施の形態について詳細に説明する。
図１は本発明の壁パネルを住宅に取付けた状態を示す三面図で、図２は分解状態斜視図、図３は拡大平面図である。
【０００７】
図１〜図３に示すように、本発明の壁パネルは、構造用合板本体１、第１の断熱層部材２、第２の断熱層部材３、第３の断熱層部材４およびパネル枠材５から構成される。
【０００８】
本発明に用いられる構造用合板本体１は、両面が面一のもので、構造壁用として通常用いられている規格の厚さであれば、厚さ寸法は限定されない。この構造用合板本体１の一方の面の両端部（使用状態においては上下の端部）には、端面に開口する凹溝１１が複数（図示の例においては、各端部側に５本ずつ）平行に形成されている。この凹溝１１の長さは、図１から分るように、該構造用合板本体１と後述する第１の断熱層部材２とによって画定される通気室２３に連通するように形成されている。またこれらの凹溝１１の深さは、構造用合板本体１の強度を考慮して定められるものであるが、例えば、構造合板１の厚さが１２ｍｍである場合には、深さを３ｍｍ位にするのが適当である。なお、この凹溝１１を左右の横端部に穿設して、横壁パネルとしての使用も可能である。
【０００９】
第１の断熱層部材２は板状に形成されたもので、構造用合板本体１と対向する面に、突起２１が複数個規則正しく設けられている。この突起２１は第１の断熱層部材２と一体的に成形されていてもよく、また、第１の断熱層部材２と別に成形したものを、接着によって第１の断熱層部材２に一体的に取付けるものであっても良い。この突起２１の形状は限定されるものではなく、半球状のものでも、円柱状のものでも、さらには矩形状のものであっても良い。なお、本発明においてはこの突起２１が規則正しく位置されているものに限定されず、ランダムに配置されているものであってもよい。
【００１０】
第２の断熱層部材３は、第１の断熱層部材２と第３の断熱層部材４との間に空気層を形成するためのもので、複数の透通孔３１が規則正しく形成されている。なお、図示においては、この透通孔３１の形状を円形状のものとしているが、本発明においては、これに限定されるものではなく、矩形状のものであっても良いことはいうまでもない。
【００１１】
なお、この第２の断熱層部材３は、それ自体が断熱性を有するものである必要なく、該第２の断熱層部材３によって形成された空気室３１の空気層を断熱層とするものである。したがって、第２の断熱層部材３は、それ自体が断熱効果を有しない例えばペーパーハニカムを用いてもよく、さらには、一般的な断熱材として用いられているグラスウールのような空気層を形成することのできるものを用いてもよい。このようなペーパーハニカム状のものを用いれば、軽量でしかも頑強な構造とすることができる。
【００１２】
上記第２の断熱層部材３は板状に成形されたもので構成されている。そして、これらの各断熱層部材２，３，４は、パネル枠材５内部に収容状態に保持されて構造用合板本体１に固定されている。なお、これらの各部材の相互の固定は、接着剤によってなされている。
【００１３】
この様にして構成された壁パネルを、図１に示すように、柱Ｐ間に固定保持させ、この後、部屋側に内装パネル６を張り付けて仕上げる。
【００１４】
次に、本発明の壁パネルの作用について説明すると、本発明の壁パネルの内部には、構造用合板本体１と第１の断熱層部材２によって画定された通気室２３が構造用合板本体１の上下端部に形成された凹溝１１を介して外気と連通しているので、壁内部の通気性が良い。また、第１の断熱層部材２と第３の断熱層部材４間には、空気室３１が形成されているので、壁内には２層の空気層が形成されることになり、断熱効果が高いものとなる。また、これらの空気層を画成するのが、断熱層部材であるため、一層の断熱効果がある。
【００１５】
また、本発明によると、通気室２３内には、外気を取り入れることができるので、通風性が良く、壁に結露が生じることがない。
【００１６】
【発明の効果】
上記したように、本発明によれば、現場での工期短縮化が図れるユニット状にパネル化された外壁パネルにおいて、断熱効果が高く、しかも、構造的に頑強であっても壁厚が厚くなりすぎることなく、しかも、結露のない通気性に富んだユニット状にパネル化された外壁パネルを提供することができる。
【図面の簡単な説明】
【図１】本発明の実施の形態における壁パネルの一例を示す説明図であって、（ａ）は正面図、（ｂ）は柱間に組込んだ状態の側面断面図、（ｃ）は柱間に組込んだ状態の平面断面図である。
【図２】本発明の実施の形態における壁パネルの一例の分解斜視図である。
【図３】本発明の実施の形態における壁パネルの拡大平面断面図である。
【符号の説明】
１    構造用合板本体
２    第１の断熱層部材
３    第２の断熱層部材
４    第３の断熱層部材
６    内装パネル
【図１】
0003755112.tif 000002
【図２】
0003755112.tif 000003
【図３】
0003755112.tif 000004